(57)【特許請求の範囲】
【請求項１】
便鉢及びこの便鉢の下流側に連通する便器排水路を備えた便器本体を洗浄する洗浄水を貯留し、開閉弁により開閉可能な排水口を有した洗浄タンク本体と、この洗浄タンク本体内に洗浄水を供給する給水装置と、前記便器排水路内の空気を吸引する吸気装置とを備えた洗浄タンク装置であって、
前記吸気装置は、連通口が貫設され、前記洗浄タンク本体内を区画した側面部と、この側面部の上端に連結された上面部とにより形成された吸気室と、
この吸気室の上面部に上端開口を上方に開口させて設けられ、この上端開口が吸気路を介して前記便器排水路に連通する吸気口を形成し、下端開口が前記吸気室内における洗浄水の最高水位より下方に位置した上下方向に延びた筒状の接続管部とを具備しており、
前記吸気室は、前記連通口より上方の内部に設けられ、開口部が貫設された内壁部により上部室と下部室とに区画され、
前記吸気室内には、上部室内に配置されたシール部と、下部室内に配置されたフロート部と、前記シール部と前記フロート部とを連結し、前記開口部を挿通した連結部とから形成され、前記開口部を開閉する開閉部材が収納され、
前記吸気室内の洗浄水の水位が低下し、前記開閉部材が下降すると前記シール部が前記開口部を閉鎖することを特徴とする洗浄タンク装置。
【請求項２】
前記吸気室の上面部には空気孔が貫設され、この空気孔には吸気室内に空気を流入させず、かつ前記吸気室内の空気が排出可能な逆止弁が接続されていることを特徴とする請求項１記載の洗浄タンク装置。
【請求項３】
便鉢及びこの便鉢の下流側に連通する便器排水路を備えた便器本体と、請求項１又は２記載の洗浄タンク装置とを具備し、
前記便器排水路に前記吸気路を介して前記吸気口が連通され、前記便鉢の上部開口の内周縁に設けられたリム通水路に前記排水口が連通されていることを特徴とする水洗式便器。
【発明の詳細な説明】
【技術分野】
【０００１】
本発明は洗浄タンク装置及び水洗式便器に関する。
【背景技術】
【０００２】
特許文献１に従来の洗浄タンク装置が開示されている。この洗浄タンク装置は、洗浄タンク本体と、給水装置と、便器排水路内の空気を吸引する吸気装置とを備えている。洗浄タンク本体は、開閉弁により開閉可能な排水口を有し、便器本体の洗浄に利用される洗浄水を貯留可能である。洗浄タンク本体の排水口は、便鉢及び便鉢の下流側に連通する便器排水路を有する便器本体に連通されている。給水装置は洗浄タンク本体内に洗浄水を供給可能である。吸気装置は、洗浄タンク本体内に配置され、上端が閉鎖され下端が開口したブースと、ブース内であって洗浄タンク本体内の最高水位より上方まで延びた吸気路とから構成されている。吸気路は便器排水路に連通されている。
【０００３】
この洗浄タンク装置では、排水口の開閉弁を開弁し、便器洗浄を開始すると、洗浄タンク本体内に貯留された洗浄水が排水口から便器本体に流出する。これにより、洗浄タンク本体内の洗浄水の水位は低下する。この際、吸気装置のブース内では、吸気路を介して便器排水路内の空気が吸引されて、洗浄水の水位が低下する。つまり、ブース内の洗浄水の水位の低下にしたがって吸気装置は便器排水路内の空気を吸引する。便器洗浄の際に吸気装置が便器排水路内の空気を吸引することによって、便器排水路内にサイホン作用を確実に発生させ、そのサイホン作用を促進させることができる。
【先行技術文献】
【特許文献】
【０００４】
【特許文献１】特開平７−４２２１７号公報
【発明の概要】
【発明が解決しようとする課題】
【０００５】
しかし、上記従来の洗浄タンク装置では、便器洗浄が開始されてから所定量の洗浄水が洗浄タンク本体の排水口から便器本体へ流出し、排水口の開閉弁が閉弁されるまでの間、ブース内の洗浄水の水位は略一定の速度で低下する。つまり、この吸気装置は便器洗浄の開始と同時に便器排水路内の空気の吸引を開始する。このため、洗浄タンク本体内から流出した洗浄水により便器排水路内へ洗浄水が流入する前から吸気装置は便器排水路内の空気を吸引することになる。便器排水路内にサイホン作用を発生させるためには、便器排水路内に所定流量の洗浄水が流入する状態でなければならず、それ以前に便器排水路内の空気を吸引してもサイホン作用の発生に寄与するものではない。
【０００６】
また、便器排水路内にサイホン作用を確実に発生させるためには、サイホン作用の発生時に吸気装置によって便器排水路内の空気を勢い良く吸引することが望ましい。この吸気装置において空気を勢い良く吸引するためにはブースの容量を大きくしなければならない。このため、便器排水路内の空気を勢い良く吸引しようとすれば洗浄タンク本体が大型化してしまうおそれがある。
【０００７】
また、この吸気装置では、便器洗浄の開始から終了までの間、便器排水路内の空気は略一定の強さで吸引される。このため、便器排水路内にサイホン作用を確実に発生させるために吸気装置のブースの容量を大きくして便器排水路内の空気を勢い良く吸引する場合には、便器洗浄の後半においても吸気装置が便器排水路内の空気を勢い良く吸引することになる。便器洗浄の後半において便器排水路内に流入する洗浄水の流量が減少した状態で便器排水路内の空気を勢い良く吸引しすぎると、便器排水路内の洗浄水が不足し、サイホン作用が早期に終了するおそれがある。この場合、便器本体からの汚物等の排出が不十分になるおそれがある。
【０００８】
本発明は、上記従来の実情に鑑みてなされたものであって、大型化せず、便器洗浄を良好に行なうことができる洗浄タンク装置及び水洗式便器を提供することを解決すべき課題としている。
【課題を解決するための手段】
【０００９】
本発明の洗浄タンク装置は、便鉢及びこの便鉢の下流側に連通する便器排水路を備えた便器本体を洗浄する洗浄水を貯留し、開閉弁により開閉可能な排水口を有した洗浄タンク本体と、この洗浄タンク本体内に洗浄水を供給する給水装置と、前記便器排水路内の空気を吸引する吸気装置とを備えた洗浄タンク装置であって、
前記吸気装置は、連通口が貫設され、前記洗浄タンク本体内を区画した側面部と、この側面部の上端に連結された上面部とにより形成された吸気室と、
この吸気室の上面部に上端開口を上方に開口させて設けられ、この上端開口が吸気路を介して前記便器排水路に連通する吸気口を形成し、下端開口が前記吸気室内における洗浄水の最高水位より下方に位置した上下方向に延びた筒状の接続管部とを具備しており、
前記吸気室は、前記連通口より上方の内部に設けられ、開口部が貫設された内壁部により上部室と下部室とに区画され、
前記吸気室内には、上部室内に配置されたシール部と、下部室内に配置されたフロート部と、前記シール部と前記フロート部とを連結し、前記開口部を挿通した連結部とから形成され、前記開口部を開閉する開閉部材が収納され、
前記吸気室内の洗浄水の水位が低下し、前記開閉部材が下降すると前記シール部が前記開口部を閉鎖することを特徴とする。
【００１０】
この洗浄タンク装置では、洗浄タンク本体の排水口の開閉弁が開弁され、便器洗浄が開始されると、洗浄タンク本体内に貯留された洗浄水が排水口から便器本体へ流出し、側面部により吸気室と区画されて洗浄タンク本体内に形成された貯水室内の洗浄水の水位が低下し始める。これにより、貯水室内と吸気室内とは水頭差が生じる。この水頭差によって吸気室は便器排水路内の空気の吸引を開始する。
【００１１】
便器洗浄が開始され、上述したように便器排水路内の空気の吸引が開始されると、先ず、接続管部内の洗浄水の水位が低下する。接続管部内の洗浄水の水位が低下する際には、接続管部より外側の吸気室内の洗浄水の水位が高いため、それにより生じる水圧によって接続管部内に空気が流入することが抑制される。つまり、接続管部内の洗浄水の水位はゆっくりと低下する。
【００１２】
接続管部内の洗浄水が排出され、接続管部の下端開口から接続管部より外側の吸気室内に空気が流入すると、吸気室内の洗浄水の水位が低下し始める。接続管部より外側の吸気室内の洗浄水の水位が接続管部の下端開口に近づくにしたがって水圧の影響が小さくなるため、吸気装置の空気の吸引量が徐々に増加する。つまり、接続管部より外側の吸気室内の洗浄水の水位の低下も徐々に早くなる。
【００１３】
接続管部より外側の吸気室内の洗浄水の水位が接続管部の下端開口の高さに低下した時には、貯水室内の洗浄水の水位はかなり低下している。このため、吸気室内と貯水室内とは大きな水頭差が生じている。この水頭差により吸気室内の洗浄水の水位は急激に低下する。これにより、この吸気装置は便器排水路の空気を勢い良く吸引する。このように、この洗浄タンク装置では、吸気装置を大型化しなくても、便器排水路から空気を勢い良く吸引することができる。
【００１４】
また、便器洗浄が開始されてから吸気装置が勢い良く便器排水路内の空気を吸引するまでにタイムラグを設けることができる。このため、吸気装置が便器排水路内の空気を勢い良く吸引する時点において洗浄タンク本体内から便器本体へ流出した洗浄水により、便器排水路内に所定流量の洗浄水が流入している状態にすることができる。つまり、便器排水路内に所定量の洗浄水が流入している状態で吸気装置が便器排水路内の空気を吸引するため、便器排水路内にサイホン作用を確実に発生させることができる。
【００１５】
また、吸気装置が勢い良く便器排水路内の空気を吸引し始めた後、時間の経過とともに吸気室内の洗浄水の水位と貯水室内の洗浄水の水位との高低差は小さくなるため、吸気装置の吸引流量も徐々に小さくなる。このため、便器洗浄の後半において、吸気装置の吸引流量が大きすぎることが原因でサ便器排水路内のサイホン作用が終了してしまうことを防止し、サイホン作用を継続させることができる。
【００１６】
また、この吸気装置では、所定量の洗浄水が洗浄タンク本体の排水口から便器本体へ流出し、排水口の開閉弁が閉弁されるまで、便器排水路内の空気を吸引し続ける。このように、サイホン作用が発生している間、吸気装置は便器排水路内の空気を吸引し続け、便器排水路内の空気を少なくしている。これにより、便器排水路内の洗浄水の流れが空気の残留により邪魔され難く、便器排水路内の汚物等の搬送を良好に行なうことができる。
【００１７】
したがって、本発明の洗浄タンク装置は、大型化せず、便器洗浄を良好に行なうことができる。
【００１８】
前記吸気室の上面部には空気孔が貫設され、空気孔には吸気室内に空気を流入させず、かつ吸気室内の空気が流出可能な逆止弁が接続され得る。この場合、洗浄タンク本体の排水口が開閉弁により閉鎖され、給水装置から洗浄水が供給される際、吸気室内に洗浄水を良好に流入させることができる。このため、洗浄タンク装置を便器洗浄の待機状態に復帰させることができる。
【００１９】
前記吸気室は、前記連通口より上方の内部に設けられ、開口部が貫設された内壁部により上部室と下部室とに区画され、
前記吸気室内には、前記上部室内に配置されたシール部と、前記下部室内に配置されたフロート部と、前記シール部と前記フロート部を連結し、前記開口部を挿通した連結部とから形成され、前記開口部を開閉する開閉部材が収納され、
前記吸気室内の洗浄水の水位が低下し、前記開閉部材が下降すると前記シール部が前記開口部を閉鎖する。この場合、寒冷地等において洗浄タンク本体の水抜きを行った場合、便器排水路に連通する開口部を閉鎖することができる。このため、便器排水路から臭気の逆流等を防止することができる。
【００２０】
本発明の水洗式便器は、便鉢及びこの便鉢の下流側に連通する便器排水路を備えた便器本体と、上記洗浄タンク装置とを具備し、
前記便器排水路に前記吸気路を介して前記吸気口が連通され、前記便鉢の上部開口の内周縁に設けられたリム通水路に前記排水口が連通されていることを特徴とする。この水洗式便器では、上述したように、洗浄タンク装置が大型化せず、便器洗浄を良好に行なうことができる。
【図面の簡単な説明】
【００２１】
【図１】実施例の水洗式便器を示す概略図である。
【図２】実施例の吸気装置において、便器洗浄前の状態を示す断面図である。
【図３】実施例の吸気装置において、接続管部の水位が低下し始めた状態を示す断面図である。
【図４】実施例の吸気装置において、接続管部の洗浄水が排出された状態を示す断面図である。
【図５】実施例の吸気装置において、吸気室内の水位が低下し始めた状態を示す断面図である。
【図６】実施例の吸気装置において、接続管部の下端開口より吸気室内の水位が低下した状態を示す断面図である。
【図７】実施例の吸気装置において、吸気室内の水位が貯水室内と水位と同じになった状態を示す断面図である。
【図８】実施例の吸気装置において、水抜き時の状態を示す断面図である。
【発明を実施するための形態】
【００２２】
本発明の洗浄タンク装置及び水洗式便器を具体化した実施例を図面を参照しつつ説明する。
【００２３】
＜実施例＞
実施例の水洗式便器は、図１に示すように、便器本体１と便器本体１の後部上面に載置された洗浄タンク装置１０とを具備している。便器本体１は便鉢２及び便鉢２の下流側に連通する便器排水路３を備えている。また、便鉢２の上部開口の内周縁にはリム通水路４が設けられている。
【００２４】
洗浄タンク装置１０は、洗浄タンク本体２０、給水装置であるボールタップ３０及び吸気装置４０を備えている。洗浄タンク本体２０は、便器本体１を洗浄する洗浄水を貯留し、開閉弁であるフロート弁２１により開閉可能な排水口２２を有している。排水口２２は、洗浄タンク本体２０内であって、後述する貯水室２５側の底部に貫設されている。フロート弁２１は玉鎖２３を介して図示しない洗浄ハンドルに連結されている。排水口２２は洗浄水路５を介してリム通水路４に連通されている。便器洗浄の際、用便者等が洗浄ハンドルを操作することにより、フロート弁２１が玉鎖２３によって引き上げられる。これにより、洗浄タンク本体２０内に貯留された洗浄水を排水口２２からリム通水路４に流出させることができる。洗浄タンク本体２０は、排水口２２より下方の洗浄水路５に連通されたオーバーフロー管２４を有している。オーバーフロー管２４は、後述する貯水室２５内であって、その最高水位ＬＡ１よりも上方に立ち上げられている。
【００２５】
ボールタップ３０は、この水洗式便器が設置されるトイレルームに引き出された給水管に接続された吐水管３１と、吐水管３１に設けられた開閉弁３２とを有している。吐水管３１は洗浄タンク本体２０内に形成された後述する貯水室２５内に直接的に洗浄水を吐水可能に設けられている。開閉弁３２は、洗浄タンク本体２０内であって、貯水室２５内の洗浄水の水位の変化にしたがって昇降する浮玉３３により開閉駆動される。つまり、浮玉３３が下降すると開閉弁３２が開弁され、吐水管３１から洗浄タンク本体２０内の貯水室２５内に洗浄水が直接的に吐水される。また、開閉弁３２は、貯水室２５内の洗浄水の水位が最高水位ＬＡ１まで上昇すると、浮玉３３の上昇により閉弁する。
【００２６】
吸気装置４０は、図１〜図８に示すように、吸気室４１と接続管部４２とを具備している。
【００２７】
吸気室４１は、洗浄タンク本体２０内を区画し、上下方向に延びる円筒状の側面部４１Ａと、この側面部４１Ａの上端に連結された上面部４１Ｂとにより形成されている。上面部４１Ｂは洗浄タンク本体２０内の洗浄水の最高水位（後述する貯水室２５の最高水位ＬＡ１及び吸気室４１内の最高水位ＬＢ１）より僅かに上方に配置されている。側面部４１Ａの下端部には連通口４１Ｃが横方向を向いて貫設されている。洗浄タンク本体２０内には吸気室４１と区画された貯水室２５が形成されている。吸気室４１と貯水室２５とは連通口４１Ｃを介して連通されている。
【００２８】
接続管部４２は上下方向に延びた円筒状であり、上面部４１Ｂを貫通して設けられている。接続管部４２の上端開口は、吸気路６を介して便器排水路３に連通する吸気口４２Ａを形成している。また、接続管部４２の下端開口は、吸気室４１内における洗浄水の最高水位ＬＢ１より下方に位置している。
【００２９】
上面部４１Ｂには空気孔４３が貫設されている。空気孔４３には吸気室４１内に空気を流入させず、かつ吸気室４１内の空気が流出可能な逆止弁４３Ｖが接続されている。
【００３０】
吸気室４１は、連通口４１Ｃより上方の内部に設けられた内壁部４４により上部室４１Ｕと下部室４１Ｄとに区画されている。内壁部４４には円形状の開口部４４Ａが貫設されている。上部室４１Ｕと下部室４１Ｄは開口部４４Ａを介して連通されている。
【００３１】
吸気室４１内には開口部４４Ａを開閉する開閉部材４５が収納されている。開閉部材４５は、上部室４１Ｕ内に配置されたシール部４５Ａと、下部室４１Ｄ内に配置された円柱形上のフロート部４５Ｂと、シール部４５Ａとフロート部４５Ｂとを連結し、開口部４４Ａを挿通した棒状の連結部４５Ｃとから形成されている。シール部４５Ａは円盤形状であり、下面に貼着されたシール材４５Ｓを有している。また、シール部４５Ａの径は開口部４４Ａの径よりも大きく形成されている。
【００３２】
次に、このように構成された水洗式便器の便器洗浄工程を説明する。
【００３３】
便器洗浄を開始する前は、図１及び図２に示すように、洗浄タンク本体２０内には所定量の洗浄水が貯水されている。つまり、貯水室２５内には最高水位ＬＡ１まで洗浄水が貯水され、吸気室４１内（接続管部４２内も含む）には最高水位ＬＢ１まで洗浄水が貯水されている。また、開閉部材４５は、シール部４５Ａの上面が上面部４１Ｂの下面に当接した状態に上昇している。このため、開口部４４Ａは開放されている。
【００３４】
用便者等により洗浄ハンドルが操作され、便器洗浄が開始されると、フロート弁２１が玉鎖２３を介して引き上げられ、排水口２２が開放される。すると、貯水室２５内の洗浄水が排水口２２からリム通水路４に流出する。この際、貯水室２５内の洗浄水の水位は、図３及び図４に示すように、急激に低下し始める。これにより、貯水室２５内と吸気室４１内とは水頭差が生じる。この水頭差によって吸気室４１は便器排水路３内の空気を吸気路６を介して吸引し始める。
【００３５】
吸気室４１が便器排水路３内の空気を吸引し始めると、先ず、接続管部４２内の洗浄水の水位が低下する。接続管部４２内の洗浄水の水位が低下する際には、接続管部４２より外側の吸気室４１内は密閉状態であるため最高水位ＬＢ１のままである。このため、それにより生じる水圧によって、接続管部４２内に空気が流入することが抑制される。つまり、接続管部４２内の洗浄水の水位はゆっくりと低下し、吸気装置４０の便器排水路３内の空気の吸引流量は僅かである。
【００３６】
接続管部４２内の洗浄水が排出され、接続管部４２の下端開口から接続管部４２より外側の吸気室４１内に空気が流入すると、図５に示すように、接続管部４２より外側の吸気室４１内の洗浄水の水位が低下し始める。接続管部４２の外側の吸気室４１内の洗浄水の水位が接続管部４２の下端開口に近づくにしたがって、水圧の影響が小さくなるため、吸気装置４０の空気の吸引流量が徐々に増加する。つまり、接続管部４２の外側の吸気室４１内の洗浄水の水位の低下も徐々に早くなる。
【００３７】
接続管部４２より外側の吸気室４１内の洗浄水の水位が接続管部４２の下端開口の高さに低下した時には、図６に示すように、貯水室２５内の洗浄水の水位はかなり低下している。このため、吸気室４１内と貯水室２５内とは大きな水頭差が生じている。この水頭差により吸気室４１内の洗浄水の水位は急激に低下し、図７に示すように、貯水室２５内の洗浄水の水位と同じ高さになる。この過程において、吸気装置４０は吸気路６を介して便器排水路３内の空気を勢い良く吸引する。このように、この洗浄タンク装置１０では、吸気装置４０を大型化しなくても、便器排水路３内の空気を勢い良く吸引することができる。
【００３８】
また、便器洗浄が開始されてから吸気装置４０が便器排水路３内の空気を勢い良く吸引するまでにタイムラグが設けられる。このため、吸気装置４０が便器排水路３内の空気を勢い良く吸引する時点において、洗浄タンク本体２０の貯水室２５内から便器本体１のリム通水路４に流出した洗浄水により、便器排水路３内に所定量の洗浄水が流入している状態にすることができる。つまり、便器排水路３内に所定流量の洗浄水が流入している状態で吸気装置４０が便器排水路３内の空気を勢い良く吸引するため、便器排水路３内にサイホン作用を確実に発生させることができる。
【００３９】
また、接続管部４２より外側の吸気室４１内の洗浄水の水位が接続管部４２の下端開口の高さに低下した後、時間の経過とともに吸気室４１内の洗浄水の水位と貯水室２５内の洗浄水の水位との高低差は小さくなるため、吸気装置４０の吸引流量も徐々に小さくなる。このため、便器洗浄の後半において、吸気装置４０の吸引流量が大きすぎることが原因で便器排水路３内のサイホン作用が終了してしまうことを防止し、サイホン作用を継続させることができる。
【００４０】
吸気室４１内及び貯水室２５内の洗浄水の水位が同じ高さになった後も、吸気室４１内及び貯水室２５内の洗浄水が排水口２２からリム通水路４に流出し続ける。吸気室４１及び貯水室２５内の洗浄水の水位が連通口４１Ｃの上端より下方に低下してしまう直前にフロート弁２１が排水口２２を閉鎖する。これにより、吸気装置４０は便器排水路３内の空気の吸引を終了する。また、便器排水路３内への洗浄水の供給が減少するため便器排水路３内のサイホン作用は終了する。また、開閉部材４５は吸気室４１内の洗浄水の低下に伴って下降しているが、開口部４４Ａを閉鎖する位置まで下降しておらず、開口部４４Ａは開放されている。このように、この吸気装置４０では、所定量の洗浄水が洗浄タンク本体２０の排水口２２からリム通水路４に流出し、排水口２２がフロート弁２１により閉鎖されるまで、便器排水路３内の空気を吸引し続ける。このため、サイホン作用が発生している間、吸気装置４０は便器排水路３内の空気を吸引し続け、便器排水路３内の空気を少なくしている。これにより、便器排水路３内の洗浄水の流れが空気の残留により邪魔され難く、便器排水路３内の汚物の搬送を良好に行なうことができる。
【００４１】
したがって、実施例の水洗式便器は、大型化せず、便器洗浄を良好に行なうことができる。
【００４２】
フロート弁２１が排水口２２を閉鎖した後も、ボールタップ３０の吐水管３１から貯水室２５内に直接的に洗浄水が吐水される。吸気装置４０の開口部４４Ａが開放されているため、連通口４１Ｃを介して吸気室４１内にも洗浄水は流入する。この際、上面部４１Ｂに設けられた空気孔４３から吸気室４１内の空気が外部に流出するため、貯水室２５内の洗浄水の水位の増加と同様に吸気室４１内に洗浄水の水位は増加する。開閉部材４５は吸気室４１内の洗浄水の水位の上昇に伴って上昇する。貯水室２５内が最高水位ＬＡ１となり、吸気室４１内が最高水位ＬＢ１となると、ボールタップ３０の開閉弁３２が閉弁される。また、フロート弁２１が排水口２２を閉鎖してからボールタップ３０の開閉弁３２が閉弁されるまでの間、ボールタップ３０から分岐された図示しない給水路、オーバーフロー管２４及び洗浄水路５を介してリム通水路４に洗浄水が供給され、便鉢２内に水封が形成される。このように、便器洗浄が終了するとともに、図１及び図２に示すように、便器洗浄の開始前の状態に水洗式便器を待機させることができる。
【００４３】
この水洗式便器において、洗浄タンク本体２０の水抜きを行った場合、図８に示すように、洗浄タンク本体２０内の洗浄水が殆んど排出され、開閉部材４５が下降して、開閉部材４５のシール部４５Ａが開口部４４Ａを閉鎖する。このため、洗浄タンク本体２０の水抜き時に便器排水路３から臭気の逆流等を防止することができる。
【００４４】
本発明は上記記述及び図面によって説明した実施例に限定されるものではなく、例えば次のような実施例も本発明の技術的範囲に含まれる。
（１）実施例では、接続管部が上面部を貫通し、その上端開口が上面部より上方に位置して設けられていたが、接続管部の上端開口が上面部に設けられ、接続管部が吸気室内に垂下するように設けられていてもよい。
（２）実施例では、吸気室が洗浄タンク本体とは別体であって円筒状の側面部により形成されていたが、吸気室は洗浄タンク本体と一体に形成されていてもよい。また、吸気室の側面部は円筒状でなくてもよい。
（３）実施例では、吸気室内に開口部を有する内壁部を設け、その開口部を開閉する開閉部材が収納されていたが、吸気室に内壁部及び開閉部材を備えなくてもよい。
（４）実施例では、逆止弁が接続された空気孔を吸気室に貫設したが、吸気室に空気孔を貫設しなくてもよい。
【産業上の利用可能性】
【００４５】
本発明は洗浄タンク装置を有する水洗式便器に利用可能である。
【符号の説明】
【００４６】
１…便器本体
２…便鉢
３…便器排水路
６…吸気路
１０…洗浄タンク装置
２０…洗浄タンク本体
２１…フロート弁（開閉弁）
２２…排水口
３０…ボールタップ（給水装置）
４０…吸気装置
４１…吸気室
４１Ａ…側面部
４１Ｂ…上面部
４１Ｃ…連通口
４１Ｕ…上部室
４１Ｄ…下部室
４２…接続管部
４２Ａ…吸気口
４３…空気孔
４３Ｖ…逆止弁
４４…内壁部
４４Ａ…開口部
４５…開閉部材
４１Ａ…シール部
４１Ｂ…フロート部
４１Ｃ…連結部
【図１】
0005511318.tif 000002
【図２】
0005511318.tif 000003
【図３】
0005511318.tif 000004
【図４】
0005511318.tif 000005
【図５】
0005511318.tif 000006
【図６】
0005511318.tif 000007
【図７】
0005511318.tif 000008
【図８】
0005511318.tif 000009